(57)【要約】      （修正有）【課題】横長な配光を実現し、かつ、被照射面の全域を均一に照明する照明器具を提供する。【解決手段】ランプ１０の背後に配置された反射面とを有する投光器本体６を備え、被照射面３から離れた位置から前記被照射面３を照明する投光器において、前記反射面には、前記ランプ１０の発光点３６の背後に位置する遠方用反射面４０を設け、高さ方向に連続して正面用反射面４１を設け、前記発光点３６を境に前記遠方用反射面４０を左右に分けた左側に左側遠方用反射面を設け、右側に右側遠方用反射面を設け、前記被照射面３上の前記投光器本体６の正面に位置する正面領域５０を前記ランプ１０の直射光及び前記正面用反射面４１の反射光で照明し、前記正面領域５０から前記被照射面３の左端までの間を左側遠方用反射面の反射光で照明し、前記正面領域５０から右端までの間を前記右側遠方用反射面４０Ｂの反射光で照明する構成とした。【選択図】図５
2011008979.tif 000002
【特許請求の範囲】
【請求項１】
光源と該光源の背後に配置された反射面とを有する器具本体を備え、被照射面から離れた位置から前記被照射面を照明する照明器具において、
前記反射面には、前記光源の発光点の背後に位置する遠方用反射面を設け、高さ方向に該遠方用反射面に連続して正面用反射面を設け、
前記発光点を境に前記遠方用反射面を左右に分けた左側に左側遠方用反射面を設け、右側に右側遠方用反射面を設け、
前記被照射面上の前記器具本体の正面に位置する正面領域を前記光源の直射光及び前記正面用反射面の反射光で照明し、前記正面領域から前記被照射面の左端までの間を前記左側遠方用反射面の反射光で照明し、前記正面領域から右端までの間を前記右側遠方用反射面の反射光で照明する
ことを特徴とする照明器具。
【請求項２】
前記左側遠方用反射面及び前記右側遠方用反射面のそれぞれに複数のファセットを設け、前記正面領域から前記被照射面の左端及び右端までの間のそれぞれでは、各ファセットの反射光が、前記被照射面の中央側で粗になり端側で密になるように重なり合うことを特徴とする請求項１に記載の照明器具。
【請求項３】
前記反射面には、前記遠方用反射面から前記正面用反射面とは反対側に連続する副正面用反射面を、前記反射面の高さ方向の端部を正面に向けて折り曲げて形成し、
直管型ランプで構成した前記光源を前記副正面用反射面に設けた挿通孔に通して配置し、
前記正面用反射面及び前記副正面用反射面の反射光で前記正面領域を照明することを特徴とする請求項１又は２に記載の照明器具。
【発明の詳細な説明】
【技術分野】
【０００１】
本発明は、ライトアップ照明や、看板又はサイン広告の投光照明などに供される照明器具に関し、特に、横に延びたワイドな配光を実現する技術に関する。
【背景技術】
【０００２】
従来、キャノピー看板やパラペット看板、ファサード看板等の各種看板、或いは、サイン広告などを照明する投光器が知られている。また一般に、看板やサイン広告（以下、「被照射面」という）の横幅が１台の投光器の照明範囲を超える場合、複数台の投光器を被照射面の横幅に沿って配列し、これらの投光器で被照射面の全域が照明されている。しかしながら、投光器の台数が増えると、投光器のイニシャルコストがかかり、また、ランニングコストや消費電力も増加する、という問題がある。
一方、照明分野では、ワイドな配光を実現した各種の照明器具が知られている（例えば、特許文献１〜特許文献３参照）。
【先行技術文献】
【特許文献】
【０００３】
【特許文献１】特開平０６−２７５１１２号公報
【特許文献２】特開平０７−０４５１１３号公報
【特許文献３】特開平１１−１２６５０２号公報
【発明の概要】
【発明が解決しようとする課題】
【０００４】
ところで、看板やサイン広告を投光照明する場合、被照射面から所定距離の位置から全域を均一に照明することが望まれる。しかしながら、従来の技術には、横長の被照射面を均一に照明するに適した配光を実現したものはない。したがって、横長の被照射面を均一に照明する場合には、結局は、複数台の投光器を用いて照明する必要があった。
【０００５】
特に従来の看板灯は、大型の看板面を上又は下から照射する場合、看板面からの出幅が制限されることが多く、投光器から縦方向（出幅の２〜５倍）に距離のある看板面の照度を確保することが難しく、縦方向の照度を確保しながら横方向では均等間隔で複数の投光器を配置して看板面の照度を確保している。しかし、パラペット看板やファサード看板など小型の看板は、横長の小さな看板面が多く、縦方向が出幅の１〜２倍に対して、横方向が出幅の４倍程度の大きさであり、低Ｗ（ワット）の投光器を数台並べて照明しており、照明率は低かった。
【０００６】
本発明は、上述した事情に鑑みてなされたものであり、横長な被照射面を照明するに適した横長な配光を実現し、かつ、被照射面の全域を均一に照明する照明器具を提供することを目的とする。
【課題を解決するための手段】
【０００７】
上記目的を達成するために、光源と該光源の背後に配置された反射面とを有する器具本体を備え、被照射面から離れた位置から前記被照射面を照明する照明器具において、前記反射面には、前記光源の発光点の背後に位置する遠方用反射面を設け、高さ方向に該遠方用反射面に連続して正面用反射面を設け、前記発光点を境に前記遠方用反射面を左右に分けた左側に左側遠方用反射面を設け、右側に右側遠方用反射面を設け、前記被照射面上の前記器具本体の正面に位置する正面領域を前記光源の直射光及び前記正面用反射面の反射光で照明し、前記正面領域から前記被照射面の左端までの間を前記左側遠方用反射面の反射光で照明し、前記正面領域から右端までの間を前記右側遠方用反射面の反射光で照明することを特徴とする。
【０００８】
また本発明は、上記照明器具において、前記左側遠方用反射面及び前記右側遠方用反射面のそれぞれに複数のファセットを設け、前記正面領域から前記被照射面の左端及び右端までの間のそれぞれでは、各ファセットの反射光が、前記被照射面の中央側で粗になり端側で密になるように重なり合うことを特徴とする。
【０００９】
また本発明は、上記照明器具において、前記反射面には、前記遠方用反射面から前記正面用反射面とは反対側に連続する副正面用反射面を、前記反射面の高さ方向の端部を正面に向けて折り曲げて形成し、直管型ランプで構成した前記光源を前記副正面用反射面に設けた挿通孔に通して配置し、前記正面用反射面及び前記副正面用反射面の反射光で前記正面領域を照明することを特徴とする。
【発明の効果】
【００１０】
本発明によれば、反射面には、光源の発光点の背後に位置する遠方用反射面を設け、高さ方向に該遠方用反射面に連続して正面用反射面を設け、前記発光点を境に前記遠方用反射面を左右に分けた左側に左側遠方用反射面を設け、右側に右側遠方用反射面を設け、被照射面上の器具本体の正面に位置する正面領域を光源の直射光及び正面用反射面の反射光で照明し、正面領域から被照射面の左端までの間を左側遠方用反射面の反射光で照明し、正面領域から右端までの間を右側遠方用反射面の反射光で照明する構成とした。
この構成により、遠方用反射面の左側遠方用反射面及び右側遠方用反射面のそれぞれにより、左右に延びたワイド（横長）な配光が実現しつつ、被照射面の左右の両端を同等の明るさで照明できる。これに加え、反射面には、発光点に一番近い位置に遠方用反射面が設けられているため、被照射面の左右両端での照度が確保され、被照射面全域での照度の均衡を図ることができる。さらに、正面領域から被照射面の左端までの間を左側遠方用反射面の反射光で照明し、右端までの間を右側遠方用反射面の反射光で照明するため、被照射面の左端を照明する光と右端を照明する光が、それぞれ光源を横切ることがなく、光源によって光が遮られて端部での照度低下や照度ムラが発生することがない。
【図面の簡単な説明】
【００１１】
【図１】本発明の実施形態に係る広告用投光器の斜視図である。
【図２】投光器本体の構成を示す斜視図である。
【図３】投光器本体の正面及び右側面を示す図である。
【図４】投光器本体の断面視図であり、（Ａ）は図３の正面図におけるＩ−Ｉ断面視図、（Ｂ）は図３の正面図におけるＩＩ−ＩＩ断面視図である。
【図５】投光器本体の反射面による配光制御を模式的に示す図である。
【図６】高さ１ｍ、横幅４ｍのサイン広告を照明したときの照度分布を示す図であり、（Ａ）は広告用投光器の照度分布、（Ｂ）は従来の投光器の照度分布を示す。
【発明を実施するための形態】
【００１２】
以下、図面を参照して本発明の実施形態について説明する。この実施形態では、照明器具の一例として、サイン広告や看板の投光照明に用いて好適な広告用投光器を説明する。
図１は、本実施形態に係る広告用投光器１の斜視図である。
広告用投光器１は、棒状に延びた所定長さのアーム４と、このアーム４の先端に設けられた投光器本体（器具本体）６とを有している。アーム４は、照明対象のサイン広告２が設置された建物に、投光器本体６を該サイン広告２の上方位置から前方に所定距離だけ突出した位置に配置するように設置され、この位置から投光器本体６がサイン広告２の広告面である被照射面３を投光照明する。被照射面３としては、サイン広告２の広告面の他、商用施設等の建物に設けられるキャノピー看板やパラペット看板、ファサード看板、或いは、横方向に長い形状の各種広告が挙げられる。なお、広告用投光器１がサイン広告２を照明する際の具体的態様については、後に詳述する。
【００１３】
図２は投光器本体６の構成を示す斜視図であり、図３は投光器本体６の正面及び右側面を示す図である。また図４は投光器本体６の断面視図であり、図４（Ａ）は図３の正面図におけるＩ−Ｉ断面視図であり、図４（Ｂ）は同正面図におけるＩＩ−ＩＩ断面視図である。
これらの図に示すように、投光器本体６は、ケース体８を備え、このケース体８には、光源たるランプ１０が内蔵され、また、このランプ１０の背後には反射面１２が設けられている。
ケース体８は、アルミダイカストを箱型に形成して成り、上下に基部１４と投光部１６とに仕切られている。基部１４にはアーム取付具１８が設けられており、このアーム取付具１８には上記アーム４の先端が固定される。設置時には、投光器本体６を上下逆にして上側に基部１４、下側に投光部１６が位置する姿勢で設置される。この基部１４には、図４（Ｂ）に示すように、正面側スペース１５Ａに図示せぬ安定器や電源ボックスが配置され、背面側スペース１５Ｂには、ソケット１９が設けられた箱体１７が着脱自在に設けられている。
【００１４】
投光部１６には、図２に示すように、ランプ１０が納められ、このランプ１０の背後に反射面１２が設けられている。投光部１６ではケース体８の天面及び左右側面が切り落とされており、投光部１６の前面２０Ａのみならず、左右側面２０Ｂ、２０Ｃ及び天面２０Ｄからも光が照射される。投光部１６には、これら前面２０Ａ、左右側面２０Ｂ、２０Ｃ及び天面２０Ｄを覆うポリカーボネート製のグローブ２１が取り付けられている。
【００１５】
ランプ１０には、ランプ光束７７００ｌｍの高効率を有する７０Ｗのセラミックメタルハライドランプが用いられている。このランプ１０は、図４（Ｂ）に示すように、長軸Ｊ（図３）を有する直管型の透明な外球３０の中に発光管３２を支持し、この外球３０の一端部（図示例では下端部）に口金を取り付けた、片口金の直管型のランプである。ランプ１０は、図４（Ｂ）に示すように、ケース体８の基部１４のソケット１９に口金（図示せず）が装着され、基部１４から投光部１６にかけて延びた姿勢で配置される。すなわち、直管型のランプ１０が、図２及び図３に示すように、投光器本体６の高さ方向に延びる姿勢で配置されることとなり、投光器本体６の横方向遠方まで光を照射できる。ケース体８の左右側面は、図３に示すように、前面２０Ａの側からランプ１０の発光点３６の近くまで深く切り落とされており、これら左右側面で横方向遠方に向かう光を遮蔽しないように成されている。また、ケース体８を真横からみた場合に発光管３２は、ケース体８にて覆われており、投光器本体６の後方側には漏れ光がなく、照射面側を効率よく照射している。
【００１６】
ランプ１０の外球３０は、図４（Ｂ）に示すように、発光管３２を包む内管３０Ａと、この内管３０Ａを包む外管３０Ｂとを備え、これら発光管３２、内管３０Ａ及び外管３０Ｂにより三重管構造が構成されている。この三重管構造によれば、ランプ１０の寿命末期時にまれに起こる発光管３２の破裂に対して、外球３０の破損や飛散が防止される。このため、発光管３２の破裂に対する保護具を投光器本体６に設ける必要がなく、投光器本体６の小型化、低コスト化が可能になる。従って本実施のように屋外にて使用する場合は、グローブ２１が必要であるが、屋内で使用する場合はグローブなしでも使用できる。また、三重管構造によれば、発光管３２の熱が外球３０の外に漏れにくいため、投光部１６の内部容積が小さくとも温度上昇が抑えられるため、さらなる小型化、低コスト化が可能になる。特に本実施形態では７０Ｗの三重管構造を採用したので、従来のセラミック発光管７０Ｗと比べると７０％の容積で、温度上昇を抑えることができている。
【００１７】
反射面１２は、図２及び図４（Ｂ）に示すように、ケース体８の投光部１６を構成する背面及び底面に形成され断面略Ｌ字状を成している。
さらに詳述すると、反射面１２は、大別すると、遠方用反射面４０と、正面用反射面４１と、副正面用反射面４２とを備えている。
遠方用反射面４０はランプ１０の発光点３６の背後に位置してランプ１０の長軸方向に対して左右（横方向）に延びた帯状に形成され、また、正面用反射面４１は遠方用反射面４０からランプ１０の長軸方向に沿った高さ方向上側に連設されている。これら遠方用反射面４０及び正面用反射面４１は、ランプ１０の背後に、ケース体８の背面に沿って設けられている。
副正面用反射面４２は、遠方用反射面４０の高さ方向下側から正面側に向かって折れ曲がるように連設されている。この副正面用反射面４２により、ケース体８の内部が投光部１６と基部１４とに仕切られている。副正面用反射面４２には、図２に示すように、ランプ１０を挿通する挿通孔３９が形成されている。ランプ１０の装着時には、箱体１７のソケット１９に装着したランプ１０を基部１４から挿入し、ランプ１０を挿通孔３９から通して発光点３６を遠方用反射面４０の前方に配置する。
【００１８】
遠方用反射面４０には、図２及び図４（Ａ）に示すように、ランプ１０の発光点３６を境に左右に分けた左側に左側遠方用反射面４０Ａを設け、右側に右側遠方用反射面４０Ｂが設けられている。
左側遠方用反射面４０Ａ及び右側遠方用反射面４０Ｂのそれぞれは、図４（Ａ）に示すように、ランプ１０に近い側の端部が該ランプ１０の近傍まで立ち上がることで、左又は右遠方に向けて光を反射するための傾斜面４５が形成されている。
【００１９】
反射面１２は、投光部１６を構成するケース体８の背面及び底面のそれぞれに増反射膜を形成することで該ケース体８と一体に構成されている。この増反射膜は、アルミダイカストから成るケース体８に、アンダーコーティング、アルミ蒸着膜、ＳｉＯ２膜、ＴｉＯ２膜を順次積層して形成され９０％以上の高い反射率が達成されている。
【００２０】
図５は、投光器本体６の反射面１２による配光制御を模式的に示す図である。この配光制御ではサイン広告２の左右を同様に照明しており、同図には、右半分の照明についてのみ示している。
サイン広告２は、高さ１ｍ（メートル）、幅４ｍの矩形状を成し、このサイン広告２の被照射面３から前方に０．９６ｍ離れた位置に投光器本体６が配置される。より詳細には、ランプ１０の発光点３６が、サイン広告２（被照射面３）の横方向の中心線Ｋに対向し、かつ、サイン広告２（被照射面３）の上端部２Ａと同じ高さに位置するように投光器本体６が配置される。投光器本体６の取付角度は９０度に設定され、取付位置では、ランプ１０が真下に向かって垂直に延びている。
【００２１】
被照射面３の全領域は、配光の設計上、横方向に、正面領域５０と、側方遠方領域５１とに分けられており、さらに、正面領域５０は、上下に、正面近傍領域５２と正面遠方領域５３とに分けられている。そして、正面領域５０が直射光と、正面用反射面４１の反射光Ｌ１と、副正面用反射面４２の反射光Ｌ２とで照明され、側方遠方領域５１が遠方用反射面４０の反射光Ｌ３で照明される。
【００２２】
さらに詳述すると、正面領域５０は、被照射面３の中央であって投光器本体６の正面の領域に設定され、投光器本体６から近い上側に正面近傍領域５２、投光器本体６から遠い下側に正面遠方領域５３が設定されている。そして、投光器本体６は、直射光で正面近傍領域５２を照明し、また、正面用反射面４１の反射光Ｌ１及び副正面用反射面４２の反射光Ｌ２で正面遠方領域５３を照明している。
【００２３】
このように、投光器本体６の正面領域５０を上下に分け、投光器本体６から近い側を直射光で照明し、遠い側を正面用反射面４１及び副正面用反射面４２の反射光Ｌ１、Ｌ２で照明することで、正面領域５０の上下での照度の均衡が図られる。
またランプ１０が挿入され投光部１６の底面に相当する箇所にも副正面用反射面４２が設けられているため、図５に示すように、発光点３６から、サイン広告２の上端部２Ａよりも上に向かう無駄な光が副正面用反射面４２で反射して正面遠方領域５３の照明に有効利用され、投光器本体６から遠い側の照度を確保することができる。
【００２４】
この正面近傍領域５２の横幅は、直射光で所定の照度が維持できる広さで規定され、正面遠方領域５３は、直射光で照明される正面近傍領域５２と同程度或いは若干広い程度の横幅に設定されている。そして、このような正面領域５０からサイン広告２の端部２Ｂまでの間の領域が側方遠方領域５１に設定されている。
【００２５】
そして投光器本体６は、遠方用反射面４０の反射光Ｌ３で側方遠方領域５１を照明する。より具体的には、遠方用反射面４０には、上述したように、左右に左側遠方用反射面４０Ａ及び右側遠方用反射面４０Ｂが設けられ、これらには、上述のように、ランプ１０の側の端部が該ランプ１０に近づくように立ち上がって傾斜した傾斜面４５が形成されることで、左側の側方遠方領域５１が、これと同じ側にある左側遠方用反射面４０Ａで照明され、同様に、右側の側方遠方領域５１が右側遠方用反射面４０Ｂで照明される。
【００２６】
このように、反射面１２が、側方遠方領域５１を照明する遠方用反射面４０を備えるため、サイン広告２が横に長い場合でも、両側の端部２Ｂを照明することができる。また、この遠方用反射面４０を、ランプ１０の発光点３６に一番近くなる背後に設けたため、サイン広告２が横に長くとも両側の端部２Ｂでの照度を確保することができる。
さらに、左側遠方用反射面４０Ａで左側の側方遠方領域５１を照明し、右側遠方用反射面４０Ｂで右側の側方遠方領域５１を照明するため、遠方用反射面４０から左右の側方遠方領域５１に向かう反射光Ｌ３が、それぞれランプ１０を横切ることがないため、該ランプ１０が反射光Ｌ３を遮って照度ムラや照度低下を引き起こすことがない。
【００２７】
ここで、サイン広告２が横に長くなるほど側方遠方領域５１が横に広くなるため、投光器本体６からサイン広告２の端部２Ｂまでの距離が延び、正面領域５０近傍に対し端部２Ｂでの照度の低下が顕著になって照度ムラが発生する。
そこで、図２に示すように、左側遠方用反射面４０Ａ及び右側遠方用反射面４０Ｂのそれぞれには、複数のファセット４７が形成されている。これらファセット４７は、図５に示すように、側方遠方領域５１での照射範囲Ｒの横幅が異なる反射光Ｌ３を作る。具体的には、各ファセット４７は、側方遠方領域５１の全域を照射範囲Ｒ１とした反射光Ｌ３、この照射範囲Ｒ１に対して横幅を漸次小さくした照射範囲Ｒ２、Ｒ３・・・の各々の反射光Ｌ３を作り、これらの反射光Ｌ３を、サイン広告２の端部２Ｂで全ての照射範囲Ｒ１、Ｒ２、Ｒ３・・・が重なり合って密になり、正面領域５０の側にかけて重なりが粗になるように照射する。
これにより、各ファセット４７により同じ側方遠方照射領域５１を照射しながらサイン広告２の端部２Ｂでは蜜に重なり合っているため、サイン広告２の端部２Ｂと正面領域５０近傍との間の照度の均衡が図られ、照度ムラが抑えられることとなる。
【００２８】
また、正面遠方領域５３での照度ムラを抑えるべく、図２に示すように、反射面１２には、正面用反射面４１に複数のファセット４８、副正面用反射面４２に複数のファセット４９がそれぞれ設けられている。これらのファセット４８、４９は、図５に示すように、正面遠方領域５３の全域を照射範囲Ｓ１とした反射光Ｌ１、Ｌ２、この照射範囲Ｓ１に対して高さ（縦幅）を漸次小さくした照射範囲Ｓ１、Ｓ２・・・の各々の反射光Ｌ１、Ｌ２を作り、これらの反射光Ｌ１、Ｌ２を、サイン広告２の下端部２Ｃの側で全ての照射範囲Ｓ１、Ｓ２、Ｓ３・・・が重なり合って密になり、正面近傍領域５２の側にかけて重なりが粗になるように照射する。
このように、反射面１２の遠方用反射面４０、正面用反射面４１、及び、副正面用反射面４２に、それぞれ上述のファセット４７、４８、４９を形成したため、サイン広告２の左右の端部２Ｂ及び下端部２Ｃと中央部との照度の均衡が図られ照度ムラが抑えられる。
【００２９】
図６は高さ１ｍ、横幅４ｍのサイン広告２を照明したときの照度分布を示す図であり、図６（Ａ）は広告用投光器１の照度分布、図６（Ｂ）は従来の投光器９０の照度分布を示す。
なお、従来の投光器９０は、この寸法のサイン広告２の照明に使用されている、光源に３００Ｗのセルフバラスト水銀ランプ（ランプ光束３７００ｌｍ）を用いた照明器具であり、図６（Ｂ）の照度分布は、３台の投光器９０を横方向に等間隔に配置したときの分布である。また、本実施形態の広告用投光器１の設置態様は、図５と同様である。
【００３０】
図６に示されるように、このときのサイン広告２の平均照度は、従来の投光器９０を用いた図６（Ｂ）では５５４ｌｘであるのに対して、本実施形態の広告用投光器１を用いた図６（Ａ）では６２７ｌｘが確保されている。また、サイン広告２の横方向両端部の下側、すなわち、広告用投光器１及び投光器９０から離れているサイン広告２の下側の照度は、従来の投光器９０を用いた図６（Ｂ）では３００ｌｘ前後の明るさであるのに対して、本実施形態の広告用投光器１を用いた図６（Ａ）では５００ｌｘ前後となっており、本実施形態の広告用投光器１を用いることで良好に照明されていることが分かる。
すなわち、従来では、３台の投光器９０を用いて照明していた高さ１ｍ、横幅４ｍの横に長いサイン広告２の全域を、１台の広告用投光器１でも十分な明るさで照明できるワイド（横長）配光が実現されていることが分かる。
さらに本実施形態の広告用投光器１によれば、７０Ｗのランプ１０を用いているにもかかわらず、１台で、３００Ｗのセルフバラスト水銀ランプを用いた従来の投光器９０の３台分と同等以上の明るさが達成されていることが分かる。
また、１台の広告用投光器１で照明した場合でも、照度ムラが十分に抑えられていることが分かる。
【００３１】
以上説明したように、本実施形態によれば、反射面１２に遠方用反射面４０を設け、この遠方用反射面４０を、発光点３６を境に左右に分けて左側遠方用反射面４０Ａ及び右側遠方用反射面４０Ｂを形成する構成とした。この構成により、左右に延びたワイド（横長）な配光を実現しつつ、被照射面３の左右の両端を同等の明るさで照明できる。
これに加え、本実施形態によれば、遠方用反射面４０を、反射面１２の中で発光点３６に一番近い位置に設けたため、被照射面３の左右両端での照度が確保され、被照射面３の全域での照度の均衡を図ることができる。
さらに、本実施形態によれば、正面領域５０から被照射面３の左端までの間を左側遠方用反射面４０Ａの反射光で照明し、右端までの間を右側遠方用反射面４０Ｂの反射光で照明するため、被照射面３の左端を照明する光と右端を照明する光が、それぞれランプ１０を横切ることがなく、ランプ１０によって光が遮られて端部での照度低下や照度ムラが発生することがない。
【００３２】
また本実施形態によれば、左側遠方用反射面４０Ａ及び右側遠方用反射面４０Ｂのそれぞれに複数のファセット４７を設け、正面領域５０から被照射面３の左端及び右端までの間のそれぞれで、各ファセット４７の反射光Ｌ３が、被照射面３の中央側で粗になり端側で密になるように重なり合う構成とした。
この構成により、被照射面３上に設定した側方遠方領域５１の横幅が延びても、端部２Ｂと正面領域５０近傍との間の照度の均衡が図られ、側方遠方領域５１での照度ムラを抑えることができる。
【００３３】
また本実施形態によれば、反射面１２には、遠方用反射面４０から正面用反射面４１とは反対側に連続する副正面用反射面４２を、反射面１２の高さ方向の端部を正面に向けて折り曲げて形成し、直管型のランプ１０を副正面用反射面４２に設けた挿通孔３９に通して配置し、これら正面用反射面４１及び副正面用反射面４２の反射光Ｌ１、Ｌ２で正面領域５０の正面遠方領域５３を照明する構成とした。
この構成により、設置時に被照射面３の上端よりも上に向かい無駄になる光を副正面用反射面４２で反射して正面遠方領域５３の照明に有効に利用することができ、また、正面領域５０のうち投光器本体６から遠い側の照度を確保することができる。
【００３４】
なお、上述した実施形態は、あくまでも本発明の一態様を示すものであり、本発明の趣旨を逸脱しない範囲内で任意に変形及び応用が可能である。
例えば、上述した実施形態では、広告用投光器１がサイン広告２を上から照明する場合を例示したが、これに限らず、広告用投光器１をサイン広告２の下側に配置し、該サイン広告２を下から照明しても良い。
また例えば、上述した実施形態では、反射面１２をケース体８の内面に増反射膜を形成することで一体に形成したが、これに限らず、反射面１２を反射鏡や反射板を用いて構成してもよい。
【００３５】
また例えば、上述した実施形態では、本発明に係る照明器具として広告用投光器１を説明したが、これに限らない。すなわち、本発明は、被照射面３から離れた位置に配置され該被照射面３の全域を均一に照明する照明器具であれば任意の照明器具に適用可能であり、例えば、被照射面の全域を背後から照明するバックライトや、建物壁面の投光照明にも適当可能である。
【００３６】
また例えば、上述した実施形態では、光源の一例として、セラミックメタルハライドランプを例示したが、これに限らず、高圧水銀ランプや他のメタルハライドランプなどの高圧金属蒸気放電ランプを用いることができる。さらに光源には、ランプに限らずＬＥＤを用いることもできる。
【符号の説明】
【００３７】
１  広告用投光器（照明器具）
２  サイン広告
２Ｂ  端部
３  被照射面
６  投光器本体（器具本体）
８  ケース体
１０  ランプ（光源）
１２  反射面
１６  投光部
３２  発光管
３６  発光点
３９  挿通孔
４０  遠方用反射面
４０Ａ  左側遠方用反射面
４０Ｂ  右側遠方用反射面
４１  正面用反射面
４２  副正面用反射面
４５  傾斜面
４７〜４９  ファセット
５０  正面領域
５１  側方遠方領域
５２  正面近傍領域
５３  正面遠方領域
９０  投光器
【図１】
2011008979.tif 000003
【図２】
2011008979.tif 000004
【図３】
2011008979.tif 000005
【図４】
2011008979.tif 000006
【図５】
2011008979.tif 000007
【図６】
2011008979.tif 000008